(57)【要約】      （修正有）【課題】リール部の左右の大径のツバ部の外面のデッドスペースを有効に利用して、不使用時のイヤホン部をスマートに保持できるイヤホンのコードホルダーを提供する。【解決手段】衣服の衿等に着脱自在に挟み付けるクリップ部３と、イヤホンのコード４を巻き付けるリール部５とを備えたイヤホンのコードホルダー１であり、リール部５は、左右の大径のツバ部５ａと、各ツバ部を連結してコードを巻き付ける小径の巻付芯部とで形成されている。各ツバ部の外面には、インナー型イヤホン部７の外縁７ａを嵌め込んで保持可能な外枠５ｆと、カナル型イヤホン部の中心穴を差し込んで保持可能な突起５ｇとの少なくとも一方が同軸に一体成形されている。【選択図】図４
0003186639.tif 000002
【実用新案登録請求の範囲】
【請求項１】
衣服の衿等に着脱自在に挟み付けるクリップ部と、イヤホンのコードを巻き付けるリール部とを備えたイヤホンのコードホルダーであって、
前記リール部は、左右の大径のツバ部と、前記各ツバ部を連結して前記コードを巻き付ける小径の巻付芯部とで形成されて、
前記各ツバ部の外面には、インナー型イヤホン部の外縁を嵌め込んで保持可能な外枠と、カナル型イヤホン部の中心穴を差し込んで保持可能な突起との少なくとも一方が同軸に一体成形されていることを特徴とするイヤホンのコードホルダー。
【請求項２】
前記リール部は、前記大径のツバ部と、前記小径の巻付芯部とが一体成形されてなる左右の半リール部品で構成され、
前記クリップ部は、いずれかの半リール部品のツバ部に一体成形され、
一方の半リール部品の巻付芯部が他方の半リール部品の巻付芯部のスライド用穴にスライド自在に嵌合されて抜け止めされ、左右のツバ部の間隔がスライド方向に拡狭調整可能であることを特徴とする請求項１に記載のイヤホンのコードホルダー。
【考案の詳細な説明】
【技術分野】
【０００１】
本考案は、イヤホンのコードホルダーに関する。
【背景技術】
【０００２】
従来、図６（ａ）のように、衣服の衿等２０に着脱自在に挟み付けるクリップ部２１と、イヤホンのコード２２を通すグリップ部２３とを有するイヤホンのコードクリップがある（特許文献１参照）。
【０００３】
また、図６（ｂ）のように、イヤホンのコード２２をスプリング力で巻き付けるリール部２４を有するコード巻取りリールもある（特許文献２参照）。
【先行技術文献】
【特許文献】
【０００４】
【特許文献１】特開２００４−２１４９９６号公報
【特許文献２】実用新案登録第３１０６２０７号公報
【考案の概要】
【考案が解決しようとする課題】
【０００５】
しかしながら、各特許文献では、耳に嵌め込む若しくは差し込むイヤホンの左右のイヤホン部は、不使用時にはコード２２から垂れ下がらせたままであるから、不使用時のイヤホン部の処理をスマートにしたいという要望があった。
【０００６】
本考案は、前記問題を要望に応えるためになされたもので、リール部の左右の大径のツバ部の外面のデッドスペースを有効に利用して、不使用時のイヤホン部の処理がスマートになるイヤホンのコードホルダーを提供することを目的とするものである。
【課題を解決するための手段】
【０００７】
前記課題を解決するために、本考案のイヤホンのコードホルダーは、衣服の衿等に着脱自在に挟み付けるクリップ部と、イヤホンのコードを巻き付けるリール部とを備えたイヤホンのコードホルダーである。前記リール部は、左右の大径のツバ部と、前記各ツバ部を連結して前記コードを巻き付ける小径の巻付芯部とで形成されている。前記各ツバ部の外面には、インナー型イヤホン部の外縁を嵌め込んで保持可能な外枠と、カナル型イヤホン部の中心穴を差し込んで保持可能な突起との少なくとも一方が同軸に一体成形されていることを特徴とするものである。
【０００８】
本考案によれば、リール部の左右の大径のツバ部の外面のデッドスペースを有効に利用したものである。すなわち、各ツバ部の外面に、インナー型イヤホン部の外縁を嵌め込んで保持可能な外枠と、カナル型イヤホン部の中心穴を差し込んで保持可能な突起との少なくとも一方を同軸に一体成形したものである。したがって、外枠と突起との双方が成形されていれば、インナー型とカナル型のいずれの型のイヤホン部であっても、イヤホン部を各ツバ部の外面の外枠若しくは突起に着脱可能に保持できるから、不使用時のイヤホン部の処理がスマートになる。
【０００９】
前記リール部は、前記大径のツバ部と、前記小径の巻付芯部とが一体成形されてなる左右の半リール部品で構成され、前記クリップ部は、いずれかの半リール部品のツバ部に一体成形されている。そして、一方の半リール部品の巻付芯部が他方の半リール部品の巻付芯部のスライド用穴にスライド自在に嵌合されて抜け止めされ、左右のツバ部の間隔がスライド方向に拡狭調整可能である構成とすることができる。
【００１０】
この構成によれば、リール部は、ツバ部と巻付芯部とを一体成形した左右の半リール部品で構成し、クリップ部は、いずれかの半リール部品のツバ部に一体成形することで、２部品とすることができる。そして、一方の半リール部品の巻付芯部を他方の半リール部品の軸部のスライド用穴に嵌合して抜け止めすることで２部品を組み立てる。
【００１１】
ここで、左右の半リール部品は、左右のツバ部の間隔をスライド方向に拡狭調整することができる。したがって、指で押して左右のツバ部の間隔を拡げることで、巻付芯部が長くなってコードを多く巻き付けることができる。また、コードを伸ばして使用している時は、指で押して左右のツバ部の間隔を狭めることで、巻付芯部が短くなってコンパクトになる。
【００１２】
さらに、コードを巻き付けた後に、指で押して左右のツバ部の間隔を狭めると、巻き付けたコードが左右のツバ部で押さえ付けられるので、コードの巻き緩みが生じにくくなる。
【００１３】
このように、ツバ部と巻付芯部とを一体成形してなる左右の半リール部品でリール部を構成し、いずれかの半リール部品のツバ部にクリップ部を一体成形する。これにより、左右のツバ部の間隔をスライド方向に拡狭調整する機能を有するにも拘わらず、デザイン的にもシンプルで、かつコンパクトとなり、軽量化および低コスト化も図れるようになる。
【考案の効果】
【００１４】
本考案によれば、リール部の左右の大径のツバ部の外面のデッドスペースを有効に利用してイヤホン部を保持できるから、不使用時のイヤホン部の処理がスマートになる。
【図面の簡単な説明】
【００１５】
【図１】本考案に係るイヤホンのコードホルダーであり、（ａ）は正面図、（ｂ）は平面図、（ｃ）は左側面図、（ｄ）は背面図である。
【図２】（ａ）は左右の半リール部品の断面図、（ｂ）〜（ｃ）は左右の半リール部品の組み付け手順の側面図である。
【図３】（ａ）（ｂ）は、ツバ部の間隔を拡狭調整する斜視図、（ｃ）はクリップ部を挟み付けた斜視図である。
【図４】（ａ）（ｂ）はインナー型イヤホン部を外枠で保持する斜視図である。
【図５】（ａ）（ｂ）はカナル型イヤホン部を突起で保持する斜視図である。
【図６】（ａ）は特許文献１のコードクリップの斜視図、（ｂ）は特許文献２のコード巻取りリールの斜視図である。
【考案を実施するための形態】
【００１６】
以下、本考案を実施するための形態について、図面を参照しながら詳細に説明する。図１はイヤホンのコードホルダー１であり、（ａ）は正面図、（ｂ）は平面図、（ｃ）は左側面図、（ｄ）は背面図である。
【００１７】
イヤホンのコードホルダー１は、衣服の衿等２〔図３（ｃ）参照〕に着脱自在に挟み付けるクリップ部３と、イヤホンのコード４〔図３（ｃ）参照〕を巻き付けるリール部５とを備えている。なお、衣服の他に、ショルダーバッグのベルト等にも挟み付けることができる。
【００１８】
リール部５は、大径円板状のツバ部５ａと小径丸軸状の巻付芯部５ｂとが一体成形されてなる左右の半リール部品５Ａ，５Ｂで構成されている。
【００１９】
クリップ部３は、いずれかの半リール部品５Ａ，５Ｂ、本例では、図１（ｂ）のように、半リール部品５Ａのツバ部５ａの外周から軸直角方向に突出するように一体成形されている。クリップ部３は、枠状のベース部３ａと、このベース部３ａの開口内に嵌まり込む舌片部３ｂとで構成されている。
【００２０】
クリップ部３を含む左右の半リール部品５Ａ，５Ｂは、柔軟性を有する合成樹脂〔例えばＴＰＵ（熱可塑性ポリウレタン）やシリコーン〕で成形されている。
【００２１】
そして、舌片部３ｂを指で外方〔図１（ｂ）の矢印ａ参照〕に少し撓ませて、ベース部３ａとの間に形成された隙間を、図３（ｃ）のように衣服の衿等２に差し込む。これにより、舌片部３ｂの復元力により、ベース部３ａとの間で衣服の衿等２に挟み付けることができる。また、リール部５を指で摘んで、衣服の衿等２から強く引くと、ベース部３ａと舌片部３ｂとを衣服の衿等２から引き抜くことができる。すなわち、クリップ部３は、衣服の衿等２に着脱自在に挟み付けることができる。
【００２２】
図２（ａ）〜（ｄ）のように、左右の半リール部品５Ａ，５Ｂの内、一方の半リール部品５Ｂの巻付芯部５ｂは、他方の半リール部品５Ａの巻付芯部５ｂのスライド用穴５ｃに、スライド自在に嵌合されている。
【００２３】
具体的には、半リール部品５Ｂの巻付芯部５ｂは、先側が拡径したテーパ軸状に形成されて、先端にＶ字状の切り込み５ｄが形成され、半リール部品５Ａの巻付芯部５ｂのスライド用穴５ｃは、奥側が拡径したテーパ穴状に形成されている。テーパ軸状の巻付芯部５ｂの先端部の外径は、テーパ穴状の巻付芯部５ｂのスライド用穴５ｃの先端部の内径よりもやや大径に設定されている。
【００２４】
そして、図２（ｂ）〜（ｄ）のように、半リール部品５Ｂの巻付芯部５ｂを切り込み５ｄで押さえて縮径させながら（矢印ｂ参照）、半リール部品５Ａの巻付芯部５ｂのスライド用穴５ｃにスライド可能に嵌め込む。
【００２５】
これにより、左右のツバ部５ａを相対的にスライドさせることで、図３（ａ）のように間隔Ｗ１を狭め（例えば６ｍｍ）、または図３（ｂ）のように間隔Ｗ２を拡げる（例えば１２ｍｍ）ことができる。すなわち、間隔Ｗ１，Ｗ２はスライド方向に拡狭調整可能である。
【００２６】
また、半リール部品５Ｂの巻付芯部５ｂは、半リール部品５Ａの巻付芯部５ｂのスライド用穴５ｃ内でほぼ同径に弾力で復元することで、半リール部品５Ｂの巻付芯部５ｂは半リール部品５Ａの巻付芯部５ｂのスライド用穴５ｃから抜け出ないように抜け止めされるようになる。
【００２７】
一方、左右のツバ部５ａの外面には、図４（ａ）（ｂ）のようなインナー型イヤホン部７の外縁７ａを嵌め込んで保持可能な外枠５ｆと、図５（ａ）（ｂ）のようなカナル型イヤホン部８の中心穴８ａを差し込んで保持可能な突起５ｇとが同軸に一体成形されている。なお、カナル型イヤホン部８には、音の出口である中心穴８ａは必ず設けられている。
【００２８】
外枠５ｆと突起５ｇは、いずれも弾力（柔軟性）を有して、その弾力でインナー型イヤホン部７の外縁７ａとカナル型イヤホン部８の中心穴８ａを、それぞれ抜け落ちない程度に保持するものである。
【００２９】
ここで、インナー型イヤホン部７は、耳の耳甲介（ジコウカイ）に嵌め込むタイプであり、カナル型イヤホン部８は、耳の外耳道（ガイジドウ）に差し込むタイプである。なお、外枠５ｆと突起５ｇは、少なくとも一方が成形されたものであってもよい。
【００３０】
前記のようなイヤホンのコードホルダー１であれば、リール部５は、ツバ部５ａと巻付芯部５ｂとを一体成形した左右の半リール部品５Ａ，５Ｂで構成し、クリップ部３は、いずれかの半リール部品５Ａのツバ部５ａに一体成形することで、２部品とすることができる。そして、一方の半リール部品５Ｂの巻付芯部５ｂを他方の半リール部品５Ａの巻付芯部５ｂのスライド用穴５ｃに嵌合して抜け止めすることで２部品を組み立てる。
【００３１】
ここで、左右の半リール部品５Ａ，５Ｂは、左右のツバ部５ａの間隔Ｗ１，Ｗ２をスライド方向に拡狭調整することができる。したがって、指で摘んで左右のツバ部５ａの間隔Ｗ２を拡げることで、巻付芯部５ｂが長くなってコード４を多く巻き付けることができる。また、コード４を伸ばして使用している時は、指で押して左右のツバ部５ａの間隔Ｗ１を狭めることで、巻付芯部５ｂが短くなってコンパクトになる。
【００３２】
さらに、コード４を巻き付けた後に、指で押して左右のツバ部５ａの間隔Ｗ１を狭めると、巻き付けたコード４が左右のツバ部５ａで押さえ付けられるので、コード４の巻き緩みが生じにくくなる。
【００３３】
このように、ツバ部５ａと巻付芯部５ｂとを一体成形してなる左右の半リール部品５Ａ，５Ｂでリール部５を構成し、いずれかの半リール部品５Ａのツバ部５ａにクリップ部３を一体成形する。これにより、左右のツバ部５ａの間隔Ｗ１，Ｗ２をスライド方向に拡狭調整する機能を有するにも拘わらず、デザイン的にもシンプルで、かつコンパクトとなり、軽量化および低コスト化も図れるようになる。
【００３４】
また、リール部５の左右の大径のツバ部５ａの外面のデッドスペースを有効に利用して、インナー型イヤホン部７の外縁７ａを嵌め込んで保持可能な外枠５ｆと、カナル型イヤホン部８の中心穴８ａを差し込んで保持可能な突起５ｇとを同軸に一体成形したものである。したがって、インナー型とカナル型のいずれの型のイヤホン部７，８であっても、イヤホン部７，８を各ツバ部５ａの外面の外枠５ｆ若しくは突起５ｇに着脱可能に保持できるから、不使用時のイヤホン部７，８の処理がスマートになる。
【００３５】
なお、リール部５の左右の大径のツバ部５ａの外面を利用して、外枠５ｆと突起５ｇとの少なくとも一方を成形するのは、本実施形態のような左右の半リール部品５Ａ，５Ｂをスライド方向に拡狭調整するタイプに限られるものではない。すなわち、リール部に左右の大径のツバ部を備えているタイプであればどれでもよく、特許文献２のようなタイプにも適用できることは言うまでもない。
【符号の説明】
【００３６】
１    コードホルダー
２    衣服の衿等
３    クリップ部
４    コード
５    リール部
５Ａ，５Ｂ  半リール部品
５ａ  ツバ部
５ｂ  巻付芯部
５ｃ  スライド用穴
５ｄ  切り込み
５ｆ  外枠
５ｇ  突起
７    インナー型イヤホン部
７ａ  外縁
８    カナル型イヤホン部
８ａ  中心穴
Ｗ１，Ｗ２  間隔
【図１】
0003186639.tif 000003
【図２】
0003186639.tif 000004
【図３】
0003186639.tif 000005
【図４】
0003186639.tif 000006
【図５】
0003186639.tif 000007
【図６】
0003186639.tif 000008